(57)【要約】【課題】  日常使用している装身具若しくは携帯用物品に装着する本体又は日常使用している装身具若しくは携帯用物品に類似した本体に、本人が公表したい複数の個人情報を表示するコミュニケーション昂進用器具の開発。【解決手段】  装身具に付設する本体、携帯用物品に直接装着する本体、携帯用物品に付設する本体及び装身具に類似した本体から選択される１種以上の本体に、本人が公表を希望する複数の個人情報を表示した表示部材を容易に交換可能に配設し、本人が希望する複数の箇所に表示可能なコミュニケーション昂進用器具。【選択図】図１
2008003531.tif 000002
【特許請求の範囲】
【請求項１】
装身具に付設する本体、携帯用物品に直接装着する本体、携帯用物品に付設する本体及び装身具に類似した本体から選択される１種以上の本体に、本人が公表を希望する複数の個人情報を表示した表示部材を容易に交換可能に配設し、本人が希望する複数の箇所に表示可能なコミュニケーション昂進用器具。
【請求項２】
装身具に付設する本体が、指輪、イヤリング、ネックレス、かんざし、ブローチ又はブレスレットに取付ける物品である請求項１に記載のコミュニケーション昂進用器具。
【請求項３】
携帯用物品に付設する本体が、携帯電話、バッグ、名刺入れ、定期券入れ又はキーホルダーに取付ける物品である請求項１に記載のコミュニケーション昂進用器具。
【請求項４】
装身具に類似した本体が、指輪、イヤリング、ネックレス、かんざし、ブローチ又はブレスレットに類似した物品である請求項１に記載のコミュニケーション昂進用器具。
【請求項５】
個人情報が、文字、点字、記号、図形、色彩、絵、写真、漫画又はこれらの組合せにより表示部材及び又は本体に表示されている請求項１乃至請求項４に記載のコミュニケーション昂進用器具。
【発明の詳細な説明】
【技術分野】
【０００１】  本発明は、装身具に付設する本体、携帯用物品に直接装着する本体、携帯用物品に付設する本体及び装身具に類似した本体から選択される１種以上の本体に、本人が公表を希望する複数の個人情報を表示した表示部材を容易に交換可能に配設し、本人が希望する複数の箇所に表示可能なコミュニケーションを昂進するための器具に関する。
【背景技術】
【０００２】  個人情報保護法の施行により、個人情報の取扱いが厳しくなっている。一方、他人とのコミュニケーションが、乏しくなっているのも現状である。従来、本人が個人情報を公表している一般的な例として結婚指輪があり、この指輪の有無により結婚しているか否かを相手に伝達していたが、それ以外に個人情報を公表する器具は何も存在しなかった。【０００３】  このような現状を改善するために、文字を使う事無く黄・ピンク・赤・青・白・紫・濃赤・黒の８色だけで所有者の気持ちが相手に伝わる装飾用キーホルダー式ミニアルバムが特許出願されている（特許文献１を参照）。具体的には公開特許公報に記載されているとおり、黄色は友達が欲しい時、ピンクは特別に気になる人に気づいて欲しいとき等である。しかしながら、この従来技術では相手に伝達したい個人情報が正確に相手に伝達できないこと、相手に伝達できる個人情報に限界があること、更に装身具としては大き過ぎること等の欠点があった。
【特許文献１】  特開２００３−１０２６１２号公報
【発明の開示】
【発明が解決しようとする課題】
【０００４】  本発明らは、前記従来技術に鑑みて本人が公表したい個人情報を従来の結婚指輪と同様に、さりげなく相手に伝達できる物品を鋭意研究した結果、個人が日常使用している装身具若しくは携帯用物品に取付け可能であり、又は個人が日常使用している装身具若しくは携帯用物品に、本人が公表を希望する複数の個人情報を、複数の箇所に表示するコミュニケーション昂進用器具を開発し、本発明を完成した。【０００５】  本発明の目的は、本人が公表したい複数の個人情報をさりげなく表示するコミュニケーション昂進用器具を提供することである。
【課題を解決するための手段】
【０００６】  本発明は、装身具に付設する本体、携帯用物品に直接装着する本体、携帯用物品に付設する本体及び装身具に類似した本体から選択される１種以上の本体に、本人が公表を希望する複数の個人情報を表示した表示部材を容易に交換可能に配設し、本人が希望する複数の箇所に表示可能なコミュニケーション昂進用器具であり、装身具に付設する本体が、指輪、イヤリング、ネックレス、かんざし、ブローチ又はブレスレットに取付ける物品であること、携帯用物品に付設する本体が、携帯電話、バッグ、名刺入れ、定期券入れ又はキーホルダーに取付ける物品であること、装身具に類似した本体が、指輪、イヤリング、ネックレス、かんざし、ブローチ又はブレスレットに類似した物品であること、並びに個人情報が、文字、点字、記号、図形、色彩、絵、写真、漫画又はこれらの組合せにより表示部材及び又は本体に表示されていることを望ましい態様としている。【０００７】  次に本発明について詳細に記載する。最初に本明細書において使用する用語について記載する。装身具に付設する本体は、本人が所有している指輪、イヤリング、ネックレス、かんざし、ブローチ、ブレスレット等に取付ける物品であり、具体的には例えばブレスレットに吊下げることを意味している。【０００８】  携帯用物品に直接装着する本体は、本人が所有している携帯電話、バッグ、名刺入れ、定期券入れ、キーホルダー等に直接取付ける物品であり、具体的には例えば折畳んだ携帯電話の表面に表示することを意味している。【０００９】  携帯用物品に付設する本体は、本人が所有している携帯電話、バッグ、名刺入れ、定期券入れ、キーホルダー等に取付ける物品であり、具体的には例えばバッグの手提げ部分に吊下げること、携帯電話用ストラップ等を意味している。【００１０】  装身具に類似した本体は、指輪、イヤリング、ネックレス、かんざし、ブローチ、ブレスレット等に類似した物品であり、具体的には例えば本人が希望する複数の個人情報を表示した本体をブレスレットのように手首に巻付けて表示することを意味している。【００１１】  本人が公表したい複数の個人情報は、本人が表示を希望する個人情報であり、例えば氏名、住所、電話番号、血液型、家族構成、趣味、出身地等であり、表示を希望する本人により多種多様である。【００１２】  本発明は、これらの多種多様な個人情報を、公表を希望する本人の好み、その日の気分、本人が出掛ける先の状況等により多種多様に公表し得るコミュニケーション昂進用器具であり、例えば個人情報として趣味を表示することにより、同じ趣味の他人とのコミュニケーションが昂進される。【００１３】  個人情報の表示は、文字、点字、記号、図形、色彩、絵、写真、漫画又はこれらの組合せ等多種多様であり、本人の希望により表示することが可能である。例えば「恋人募集中」をピンクの色彩とハートの図形との組合せで表示し、趣味の野球を文字又はグローブの絵で表示、目の不自由な人のためには点字で表示等々である。【００１４】  本発明の器具の形状、大きさは多種多様であり、例えばブレスレットとして手首に巻く長さ２０ｃｍ、幅１ｃｍの本体、宝石指輪の宝石に相当する部分に直径１ｃｍの花形状の本体、ブレスレットに取付ける長さ４ｃｍ、幅１ｃｍの本体、携帯電話のストラップとして取付ける縦５ｃｍ、横３ｃｍ、厚さ１ｃｍのロボット形状の本体等がある。また、権利者の許可を得た場合には、ロボット形状の本体に変えてキャラクター・グッズを本体として利用し、個人情報を表示することも可能である。【００１５】
【表１】
2008003531.tif 000003
公表を希望する個人情報は、図１に例示するとおり本体（１）表面の図形と表示部材（３〜７）の色彩との組合せにより公表することができ、表示部材（３〜７）を交換し、色彩を変更することにより多種多様な個人情報を公表することが可能であり、その一例は表１のとおりである。【００１６】  図１の例はブレスレットのように手首に巻付けるため、本体（１）を前記のとおり長さ２０ｃｍ、幅１ｃｍの大きさに成形し、図１の本体（１）最上部にカニカン（２）、最下部にカニカンを止めるリング（８）を配設し、手首に巻き付けるブレスレットとすることが可能である。また、カニカンを小型の洗濯挟み状の部品に変えることにより、小型の本体を帽子の庇、シャツの襟、シャツのポケット等に取付けることも可能であり、本人の好みにより個人情報を多種多様な複数の箇所にさりげなく表示することもできる。
本体（１）は、金属、合成樹脂、ガラス、陶器、紙等により製造可能であり、色彩を施すことも可能であり、種々の形状に製造することも可能であるが、個人情報を表示した表示部材（３）が他人に見えるように製造することが必須条件である。例えば公表する個人情報が見えるように本体（１）の表面を透明な材料で加工すること、本体（１）の表面を額縁のように加工すること、図１に例示するとおり表面の一部を種々の図形に切除すること等であるが、図３に例示するロボット形状の本体のとおり、本体を構成する部材（頭部、胴体部、両腕部、両脚部及び両足部）と色彩との組合せで表示することも可能である。【００１７】  個人情報を表示した表示部材は、図１に例示するとおり任意、かつ随時交換可能にするために合成樹脂、紙等で製造するのが望ましい。また、本人の好みにより自身で表示部材を製造し、本体（１）に装着することも可能である。例えば、厚紙に記載すること、絵、写真等を合成樹脂製の板に貼付すること等自由に表示部材を製造し、表示部材収納空間（９）に収納し、公表したい個人情報を公表することができる。また、図３に例示するロボット形状の本体の場合は、頭部、胴体部、両腕部、両手部、両脚部及び両足部の表示部材を自由に交換できるよう部材を嵌合するための凹凸部を、それぞれに設ける。【００１８】  本人が公表した個人情報の内容を他人が理解するために、例えば図３に示すとおりＱＲコード（１２）を本体に表示し、携帯電話で読み取ることにより、後記する表２と同様の情報を知ることができる。当然のことながら、本体を販売する時、本体に添付した説明書には記載されているが、本体を見た他人が個人情報の内容を熟知しているとは限らないので、ＱＲコードを添付する。更に、本体にメール・アドレスも併記し、本体の販売先に個人情報の内容を確認できることも望ましい。【００１９】  以上記載したとおり、本発明のコミュニケーション昂進用器具は、複数の個人情報の公表を希望する本人の意向に沿うよう多種多様な方法により、希望する複数の箇所に、さりげなく表示することが可能であり、他人とのコミュニケーションの昂進に極めて有効であり、従来存在しなかった新規な器具である。
【発明の効果】
【００２０】  本発明は、装身具に付設する本体、携帯用物品に直接装着する本体、携帯用物品に付設する本体及び装身具に類似した本体から選択される１種以上の本体に、本人が公表を希望する複数の個人情報を表示した表示部材を容易に交換可能に取付け、本人が希望する複数の箇所に表示可能なコミュニケーション昂進用器具であり、本発明の奏する効果は次のとおりである。
１）本人が公表を希望する複数の個人情報を、本人が希望する表示方法により、本人が希望する複数の箇所に、さりげなく公表することができる。
２）本人が公表を希望する複数の個人情報を、本人が自由に作成し、本人が希望する複数の箇所に、さりげなく公表することができる。
【発明を実施するための最良の形態】
【００２１】  次に本発明を実施するための最良の形態を図１乃至図３に基づいて記載するが、本発明は以下の実施例に限定されるものではない。
【実施例１】
【００２２】  図１は、本発明の一実施態様を示す正面外観図であり、例えばブレスレットのように手首に巻付けることが可能である。アクリルニトリルブタジエンスチレン（ＡＢＳ）樹脂（信越化学工業社製）を使用し、常法により本体（１）を成形した。本体（１）の形状は、長手方向約２０ｃｍ、幅約１ｃｍであり、ブレスレットのように手首に巻付けるために本体上部には市販のシルバー（ニッケル）製カニカン（プント社製。Ｋ１００００−１０ＮＩＫＩ）（２）を、本体下部には市販のリング（８）を付設した。本体（１）は図２の側面外観図に示すとおり、引出状に表示部材を交換可能に収納するための表示部材収納空間（９）を設けてある。【００２３】  図１のハート図形の部分にはピンクの表示部材（３）が挿入されており、前記表１に例示するとおり、本人に恋人がいることを表示し、星図形の部分にはブルーの表示部材（４）が挿入されており、前記表１に例示するとおり、趣味がスポーツであることを表示しており、表示部材（４）を他の表示部材と交換するために引出した途中の状態であることを示している。【００２４】  図１のスペード図形の部分にはイエローの表示部材（５）が挿入されており、前記表１に例示するとおり、優しい人を好むことを示しており、表示部材（５）を他の表示部材と交換するために引出したことを示している。また、クラブ図形の部分にはオレンジの表示部材（６）が挿入されており、前記表１に例示するとおり、血液型がＯ型であることを示しており、ダイヤ図形の部分にはグリーンの表示部材（７）が挿入されており、前記表１に例示するとおり、職業が自営であることを表示している。尚、図２の側面外観図の点線で囲まれた部分は、表示部材収納空間（９）を示している。以上のように本人が公表した個人情報を他人が見ることができる。尚、図１には表示していないが、本体（１）の裏面にはＱＲコードが付設されており、携帯電話で読み取ることにより本体が表示している個人情報の内容を前記表１に示すように他人が知ることができる。
【実施例２】
【００２５】  図３は、本発明の他の施態様を示す正面外観図であり、例えば携帯電話に取付けることが可能である。ロボット本体（１）は、頭部の表示部材（１０）、両腕部の表示部材（１３）及び両脚部の表示部材（１５）が胴体部の表示部材（１１）から取外し可能にアクリルニトリルブタジエンスチレン（ＡＢＳ）樹脂（信越化学工業社製）を使用し、常法により成形した。【００２６】  図３の点線は、頭部、両腕部及び両脚部の表示部材と胴体部の表示部材との嵌合、両手部の表示部材（１４）と両腕部の表示部材（１３）及び両脚部の表示部材（１５）と両足部の表示部材（１６）とを交換可能に嵌合するための凹凸を示している。本体（１）の形状は、上下方向約５ｃｍ、左右約３ｃｍ、厚さ１ｃｍであり、携帯電話に取付けるために本体上部には市販のシルバー（ニッケル）製カニカン（プント社製。Ｋ１００００−１０ＮＩＫＩ）（２）を付設した。表示する個人情報は、頭部の表示部材、胴体部の表示部材、両腕部の表示部材、両脚部の表示部材、両手部の表示部材及び両足部の表示部材に後記するとおり色彩により表示されており、自由に交換することができる。【００２７】
【表２】
2008003531.tif 000004
具体的な個人情報の公表は表２に例示するとおり、ロボットを構成する部分の表示部材と色彩との組合せにより行われている。この例では頭部の表示部材（１０）のグリーンにより趣味がドライブであること、胴体部の表示部材（１１）のブルーにより恋人を探していること、両腕部の表示部材（１３）のイエローにより優しい人を探していること、両手部の表示部材（１４）のピンクにより学生であること、両脚部の表示部材（１５）のブルーにより血液型がＡＢ型であること、両足部の表示部材（１６）のホワイトは何も表示していないことをそれぞれ示している。【００２８】  ロボットの胴体部のＱＲコード（１２）は、携帯電話で読み取ることにより、ロボットの所有者が各表示部材によりどのような個人情報を公表しているのかを、表２のとおり知ることができる仕組になっいる。
【図面の簡単な説明】
【００２９】
【図１】  本発明の一実施態様を示す正面外観図である。
【図２】  図１の側面外観図である。
【図３】  本発明の他の実施態様を示す正面外観図である。
【符号の説明】
【００３０】  １  本体
２  カニカン
３  表示部材（ピンク）
４  表示部材（ブルー）
５  表示部材（イエロー）
６  表示部材（オレンジ）
７  表示部材（グリーン）
８  リング
９  表示部材収納空間
１０  表示部材（頭部：グリーン）
１１  表示部材（胴体部：ブルー）
１２  ＱＲコード
１３  表示部材（腕部：イエロー）
１４  表示部材（手部：ピンク）
１５  表示部材（脚部：パープル）
１６  表示部材（足部：ホワイト）
【図１】
2008003531.tif 000005
【図２】
2008003531.tif 000006
【図３】
2008003531.tif 000007